(57)【要約】      （修正有）【課題】電池が低温度下、或いは内部インピーダンスが大きい状況では、ストロボ充電時の充電電流を低減する事で電池を可及的に有効利用する事を目的とする。またレリーズスイッチが押された場合は、最短のストロボ充電時間に設定することでレリーズタイムラグを短くする事を目的とする。【解決手段】電池温度検出手段、或いは電池の内部インピーダンスを検出する手段と、ストロボ用の昇圧トランスの巻き数比を切り替える手段とを備えたストロボ装置。【選択図】        図１
2006154249.tif 000002
【特許請求の範囲】
【請求項１】
電源電圧を昇圧トランスを介して昇圧し、ストロボ発光時の電気エネルギーを蓄える主コンデンサへ充電を行う第一の昇圧手段と、該第一の昇圧手段よりも昇圧トランス一次側の巻き数を少なくする事により巻き数比を大きくしている第二の昇圧手段とを備えたストロボ装置において、
電池の温度を検出する電池温度検出手段と、前記第一及び第二の昇圧手段を変更し切り替える第一の巻き数比切り替え手段とを備えたことを特徴とするストロボ装置。
【請求項２】
前記第一の巻き数比切り替え手段は前記電池温度検出手段の検出結果により前記第一及び第二の昇圧手段を変更し切り替えることを特徴とする請求項１記載のストロボ装置。
【請求項３】
前記第一の巻き数比切り替え手段は前記電池温度検出手段の検出結果が所定の閾値以下の場合は前記第一の昇圧手段に切り替えて主コンデンサの充電を行い、前記電池温度検出手段の検出結果が所定の閾値以上の場合は前記第二の昇圧手段に切り替えて主コンデンサの充電を行う事を特徴とする請求項１または２記載のストロボ装置。
【請求項４】
電源電圧を昇圧トランスを介して昇圧し、ストロボ発光時の電気エネルギーを蓄える主コンデンサへ充電を行う第一の昇圧手段と、該第一の昇圧手段よりも昇圧トランス一次側の巻き数を少なくする事により巻き数比を大きくしている第二の昇圧手段とを備えたストロボ装置において、
電池の電圧値をＡＤ変換器で検出する電池電圧検出手段と、電池に定電流負荷を接続する擬似負荷回路と、前記電池電圧検出手段と前記擬似負荷回路から電池の内部インピーダンスを演算する演算手段と、前記第一及び第二の昇圧手段を変更し切り替える第一の巻き数比切り替え手段とを備えたことを特徴とするストロボ装置。
【請求項５】
前記第一の巻き数比切り替え手段は前記演算手段の検出結果により前記第一及び第二の昇圧手段を変更し切り替えることを特徴とする請求項４記載のストロボ装置。
【請求項６】
前記第一の巻き数比切り替え手段は前記演算手段の検出結果が所定の閾値以上の場合は前記第一の昇圧手段に切り替えて主コンデンサの充電を行い、前記演算手段の検出結果が所定の閾値以下の場合は前記第二の昇圧手段に切り替えて主コンデンサの充電を行う事を特徴とする請求項４または５記載のストロボ装置。
【請求項７】
電源電圧を昇圧トランスを介して昇圧し、ストロボ発光時の電気エネルギーを蓄える主コンデンサへ充電を行う第三の昇圧手段と、該第三の昇圧手段よりも昇圧トランス二次側の巻き数を多くする事により巻き数比を大きくしている第四の昇圧手段と、トランス二次側の放出電流を検出して一次側のスイッチングを制御する制御回路を備えたストロボ装置において、
電池の温度を検出する電池温度検出手段と、前記第三及び第四の昇圧手段を変更し切り替える第二の巻き数比切り替え手段とを備えたことを特徴とするストロボ装置。
【請求項８】
前記第二の巻き数比切り替え手段は前記電池温度検出手段の検出結果により前記第三及び第四の昇圧手段を変更し切り替えることを特徴とする請求項７記載のストロボ装置。
【請求項９】
前記第二の巻き数比切り替え手段は前記電池温度検出手段の検出結果が所定の閾値以下の場合は前記第四の昇圧手段に切り替えて主コンデンサの充電を行い、前記電池温度検出手段の検出結果が所定の閾値以上の場合は前記第三の昇圧手段に切り替えて主コンデンサの充電を行う事を特徴とする請求項７または８記載のストロボ装置。
【請求項１０】
電源電圧を昇圧トランスを介して昇圧し、ストロボ発光時の電気エネルギーを蓄える主コンデンサへ充電を行う第三の昇圧手段と、該第三の昇圧手段よりも昇圧トランス二次側の巻き数を多くする事により巻き数比を大きくしている第四の昇圧手段とを備えたストロボ装置において、
電池の電圧値をＡＤ変換器で検出する電池電圧検出手段と、電池に定電流負荷を接続する擬似負荷回路と、前記電池電圧検出手段と前記擬似負荷回路から電池の内部インピーダンスを演算する演算手段と、前記第三及び第四の昇圧手段を変更し切り替える第二の巻き数比切り替え手段とを備えたことを特徴とするストロボ装置。
【請求項１１】
前記第二の巻き数比切り替え手段は前記演算手段の検出結果により前記第三及び第四の昇圧手段を変更し切り替えることを特徴とする請求項１０記載のストロボ装置。
【請求項１２】
前記第二の巻き数比切り替え手段は前記演算手段の検出結果が所定の閾値以上の場合は前記第四の昇圧手段に切り替えて主コンデンサの充電を行い、前記演算手段の検出結果が所定の閾値以下の場合は前記第三の昇圧手段に切り替えて主コンデンサの充電を行う事を特徴とする請求項１０または１１記載のストロボ装置。
【請求項１３】
カメラと組み合わせて使用するストロボ装置において、
前記第一の巻き数比切り替え手段は、カメラにおける撮影準備のレリーズスイッチがオンされると前記第二の昇圧手段に切り替えて主コンデンサの充電を行う事を特徴とする請求項１乃至６いずれかに記載のストロボ装置。
【請求項１４】
カメラと組み合わせて使用するストロボ装置において、
前記第二の巻き数比切り替え手段は、カメラにおける撮影準備のレリーズスイッチがオンされると前記第三の昇圧手段に切り替えて主コンデンサの充電を行う事を特徴とする請求項７乃至１２いずれかに記載のストロボ装置。
【発明の詳細な説明】
【技術分野】
【０００１】
本発明は、カメラのストロボ装置に関し、特にＤＣ−ＤＣコンバータ回路の昇圧トランスの巻き数比切り替えを行うストロボ装置に関する。
【背景技術】
【０００２】
従来、昇圧トランスの切替制御は、例えば特許文献１のように、電池電圧を検出し、その電圧値に対応して昇圧トランスの巻き数比を制御する事により、充電時間を電池電圧の高低に関わらず均一化するようにしている。
【０００３】
一般的に、電池の内部インピーダンスは、電池残量が低下してくると大きくなるため、負荷変動時の電圧降下が大きくなる。また、低温度下においても同じ傾向が見られる。電池駆動の電子機器においては、電池が所定の閾値を下回った場合、動作を停止させるため、電池を可及的に有効利用するためには、電池の内部インピーダンスが大きい状態での負荷変動を低減する事が必要である。
【０００４】
カメラ動作において、ストロボ充電時の消費電流は負荷変動が最も大きいモードの一つである。そのため、電池の内部インピーダンスが大きい状態、或いは、電池温度の低い状態において、ストロボ充電は、カメラの撮影可能枚数、再生可能時間に関わる問題である。
【特許文献１】特開平８−１２２８６９号公報
【発明の開示】
【発明が解決しようとする課題】
【０００５】
しかしながら、上記従来例では、電池電圧のみで制御するために、低温度下での過大な負荷変動には対応できず、ストロボ充電による電池の消耗を加速させてしまうという問題がある。また、電池の省電とは別に、カメラの応答性においては、ストロボ発光が必要な撮影時に、ストロボ充電時間が遅いと、レリーズタイムラグとなり、シャッターチャンスを逃してしまうという問題がある。
【０００６】
そこで、請求項１乃至３、及び７乃至９に示した本発明の目的は、ストロボ充電する前に電池温度を検出し、所定の閾値以下であれば充電電流を低減する事で、低温時であっても電池を可及的に使用できるストロボ装置を提供する事にある。
【０００７】
また、請求項４乃至６、及び１０乃至１２に示した本発明の目的は、ストロボ充電する前に、電池の内部インピーダンスを演算し、所定の閾値以下であれば充電電流を低減する事で、電池を可及的に使用できるストロボ装置を提供する事にある。
【０００８】
また、請求項１３、１４に示した本発明の目的は、撮影準備のレリーズスイッチが押された場合は、最短のストロボ充電時間に設定する事で、ストロボ発光が必要な撮影におけるレリーズタイムラグを短くするストロボ装置を提供する事にある。
【課題を解決するための手段】
【０００９】
この発明は下記の構成を備えることにより上記課題を解決できるものである。
【００１０】
（１）電源電圧を昇圧トランスを介して昇圧し、ストロボ発光時の電気エネルギーを蓄える主コンデンサへ充電を行う第一の昇圧手段と、該第一の昇圧手段よりも昇圧トランス一次側の巻き数を少なくする事により巻き数比を大きくしている第二の昇圧手段とを備えたストロボ装置において、
電池の温度を検出する電池温度検出手段と、前記第一及び第二の昇圧手段を変更し切り替える第一の巻き数比切り替え手段とを備えたことを特徴とするストロボ装置。
【００１１】
（２）前記第一の巻き数比切り替え手段は前記電池温度検出手段の検出結果により前記第一及び第二の昇圧手段を変更し切り替えることを特徴とする前記（１）記載のストロボ装置。
【００１２】
（３）前記第一の巻き数比切り替え手段は前記電池温度検出手段の検出結果が所定の閾値以下の場合は前記第一の昇圧手段に切り替えて主コンデンサの充電を行い、前記電池温度検出手段の検出結果が所定の閾値以上の場合は前記第二の昇圧手段に切り替えて主コンデンサの充電を行う事を特徴とする前記（１）または（２）記載のストロボ装置。
【００１３】
（４）電源電圧を昇圧トランスを介して昇圧し、ストロボ発光時の電気エネルギーを蓄える主コンデンサへ充電を行う第一の昇圧手段と、該第一の昇圧手段よりも昇圧トランス一次側の巻き数を少なくする事により巻き数比を大きくしている第二の昇圧手段とを備えたストロボ装置において、
電池の電圧値をＡＤ変換器で検出する電池電圧検出手段と、電池に定電流負荷を接続する擬似負荷回路と、前記電池電圧検出手段と前記擬似負荷回路から電池の内部インピーダンスを演算する演算手段と、前記第一及び第二の昇圧手段を変更し切り替える第一の巻き数比切り替え手段とを備えたことを特徴とするストロボ装置。
【００１４】
（５）前記第一の巻き数比切り替え手段は前記演算手段の検出結果により前記第一及び第二の昇圧手段を変更し切り替えることを特徴とする前記（４）記載のストロボ装置。
【００１５】
（６）前記第一の巻き数比切り替え手段は前記演算手段の検出結果が所定の閾値以上の場合は前記第一の昇圧手段に切り替えて主コンデンサの充電を行い、前記演算手段の検出結果が所定の閾値以下の場合は前記第二の昇圧手段に切り替えて主コンデンサの充電を行う事を特徴とする前記（４）または（５）記載のストロボ装置。
【００１６】
（７）電源電圧を昇圧トランスを介して昇圧し、ストロボ発光時の電気エネルギーを蓄える主コンデンサへ充電を行う第三の昇圧手段と、該第三の昇圧手段よりも昇圧トランス二次側の巻き数を多くする事により巻き数比を大きくしている第四の昇圧手段と、トランス二次側の放出電流を検出して一次側のスイッチングを制御する制御回路を備えたストロボ装置において、
電池の温度を検出する電池温度検出手段と、前記第三及び第四の昇圧手段を変更し切り替える第二の巻き数比切り替え手段とを備えたことを特徴とするストロボ装置。
【００１７】
（８）前記第二の巻き数比切り替え手段は前記電池温度検出手段の検出結果により前記第三及び第四の昇圧手段を変更し切り替えることを特徴とする前記（７）記載のストロボ装置。
【００１８】
（９）前記第二の巻き数比切り替え手段は前記電池温度検出手段の検出結果が所定の閾値以下の場合は前記第四の昇圧手段に切り替えて主コンデンサの充電を行い、前記電池温度検出手段の検出結果が所定の閾値以上の場合は前記第三の昇圧手段に切り替えて主コンデンサの充電を行う事を特徴とする前記（７）または（８）記載のストロボ装置。
【００１９】
（１０）電源電圧を昇圧トランスを介して昇圧し、ストロボ発光時の電気エネルギーを蓄える主コンデンサへ充電を行う第三の昇圧手段と、該第三の昇圧手段よりも昇圧トランス二次側の巻き数を多くする事により巻き数比を大きくしている第四の昇圧手段とを備えたストロボ装置において、
電池の電圧値をＡＤ変換器で検出する電池電圧検出手段と、電池に定電流負荷を接続する擬似負荷回路と、前記電池電圧検出手段と前記擬似負荷回路から電池の内部インピーダンスを演算する演算手段と、前記第三及び第四の昇圧手段を変更し切り替える第二の巻き数比切り替え手段とを備えたことを特徴とするストロボ装置。
【００２０】
（１１）前記第二の巻き数比切り替え手段は前記演算手段の検出結果により前記第三及び第四の昇圧手段を変更し切り替えることを特徴とする前記（１０）記載のストロボ装置。
【００２１】
（１２）前記第二の巻き数比切り替え手段は前記演算手段の検出結果が所定の閾値以上の場合は前記第四の昇圧手段に切り替えて主コンデンサの充電を行い、前記演算手段の検出結果が所定の閾値以下の場合は前記第三の昇圧手段に切り替えて主コンデンサの充電を行う事を特徴とする前記（１０）または（１１）記載のストロボ装置。
【００２２】
（１３）カメラと組み合わせて使用するストロボ装置において、
前記第一の巻き数比切り替え手段は、カメラにおける撮影準備のレリーズスイッチがオンされると前記第二の昇圧手段に切り替えて主コンデンサの充電を行う事を特徴とする前記（１）乃至（６）いずれかに記載のストロボ装置。
【００２３】
（１４）カメラと組み合わせて使用するストロボ装置において、
前記第二の巻き数比切り替え手段は、カメラにおける撮影準備のレリーズスイッチがオンされると前記第三の昇圧手段に切り替えて主コンデンサの充電を行う事を特徴とする前記（７）乃至（１２）いずれかに記載のストロボ装置。
【発明の効果】
【００２４】
本発明によれば、、請求項１乃至３、及び７乃至９に示した本発明のストロボ装置は、ストロボ充電する前に電池温度を検出し、所定の閾値以下であれば充電電流を低減する事で、低温時であっても電池を可及的に使用する事ができる。
【００２５】
また、請求項４乃至６、及び１０乃至１２に示した本発明のストロボ装置は、ストロボ充電する前に、電池の内部インピーダンスを演算し、所定の閾値以下であれば充電電流を低減する事で、電池を可及的に使用する事ができる。
【００２６】
更に、請求項１３、１４に示した本発明のストロボ装置は、撮影準備のレリーズスイッチが押された場合は、最短のストロボ充電時間に設定する事で、ストロボ発光が必要な撮影におけるレリーズタイムラグを短くする事ができる。
【発明を実施するための最良の形態】
【００２７】
以下、図面を参照して本発明の実施の形態をデジタルカメラを例に挙げて説明する。
【実施例】
【００２８】
図１は請求項１記載の実施例に係るブロック図である。そして、図２は請求項１記載の実施例に係る撮像装置の回路ブロック図である。図５、図６は図２に示す実施例の動作のフローチャートである。
【００２９】
図１に示す本実施例は、入力電源である電池１００と、電池の温度を検出する温度検出回路１０１と、ストロボ充電用に電源電圧を昇圧する昇圧回路１０２と、昇圧トランスの巻き数比を切り替える切替回路１０３と、ストロボの充電部１０４と、ストロボの発光部１０５と、上記温度検出回路１０１で検出した値を読み取り、その値に応じて切替回路１０３を制御し、昇圧回路１０２の発振を制御し、充電部１０４を制御し、発光部１０５を制御する制御回路１０６から構成されている。なお、本発明では、温度検出回路１０１が電池温度検出手段に相当するものであり、例えばサーミスタで検出した電圧値を制御回路のＡＤポートに入力し、電圧−温度変換するなどの方法がある。
【００３０】
図２に示す本実施例は、電池である入力電源１と、その並列コンデンサ２と、入力される制御信号により発振を制御するスイッチ素子３と、スイッチ素子３により入力電圧を昇圧するための昇圧トランス４と、制御回路により昇圧トランスの巻き数比を切り替える切り替えＳＷ回路５と、昇圧トランス４で昇圧された電圧を整流するダイオード６と、ダイオード６で整流された電圧を平滑するコンデンサ７と、充電回路ブロック８と、発光回路ブロック９と、制御回路１０と、電流検出回路１１から構成されている。なお、本発明では、昇圧トランス一次側のａ端子に接続された状態が第一の昇圧手段に、ｂ端子に接続された状態が第二の昇圧手段に該当し、切り替えＳＷ回路５の動作が巻き数比切り替え手段に相当するものである。また、昇圧トランス二次側の放出電流を検出する手段に抵抗を用いたが、その役割としては、充電中のスイッチング周波数を制御するためのもので、昇圧トランスが二次側でのエネルギー放出を終えた後、すぐさま一次側のスイッチングを開始できるようにし、かつ、トランスが磁気飽和を起こさないようにするために、一次側にあるスイッチング素子の制御するタイミングを検出するための手段である。よって、電流検出回路が無くても制限を掛けられる回路構成にする場合には必要無く、電流検出回路を必要とする場合でも、抵抗１１は他の代替回路で置き換えても問題が無い事は言うまでも無い。
【００３１】
次に、図５、６のフローチャートに基づき動作を説明する。先ず、カメラの電源ＳＷをＯＮすると、図２のストロボ回路に入力電源１が接続され、不図示の定電圧回路が起動して定電圧を制御回路１０や各回路ブロックに供給される。制御回路１０に電源が供給されると内部リセットが行われる。プログラムのフラグをクリアしたり、メモリの内容をリセットして初期設定を行う（Ｓ１）。そして、不図示のスイッチ回路によりカメラ制御のためのスイッチの状態を検知して、制御回路１０に信号を伝達する（Ｓ２）。
【００３２】
次に撮影準備のレリーズスイッチＳＷ１がＯＮしているかを判別する（Ｓ３）。ＯＮの場合は、制御回路１０からＡＦ回路（不図示）へ信号を送り、ＡＦによりレンズを駆動して被写体のピントを合わせる（Ｓ４）。そして、制御回路１０からＡＥ回路（不図示）へ信号を送り、被写体輝度を測定して適正な露出を演算して決め、ホワイトバランスを調整する（Ｓ５）。Ｓ５の輝度が所定の輝度以下かを判断し所定の輝度以下ならストロボ発光が必要と判断してＳ７へ進み、所定の輝度以上ならＳ９へ進む（Ｓ６）。
【００３３】
ここでＳ７の切替＆充電では、図２に示した切り替えＳＷ回路５をｂ端子に接続した第二の昇圧手段にし、充電を行う。所定の時間内に所定の充電電圧に達するとＳ９へ進み、それ以外はＮＧとしてＳ３に戻る。
【００３４】
次にシャッター絞り制御及び発光制御を行い撮影する（Ｓ１０）。そして撮影した画像データをデジタル処理して記録媒体に保存する（Ｓ１１）。
【００３５】
次に図６は、ストロボが強制発光の場合、或いはオートの状態でカメラを起動した場合や、ストロボ発光撮影後の状態に該当するストロボ充電時の動作である。先ず、本発明にある電池温度検出手段を用いた場合は、図１の温度検出回路１０１を用いて電池の温度が所定の閾値以下であるかを検出する（Ｓ１２）。その検出結果に基づいて図２に示した切り替えＳＷ５を切り替えて充電を行う（Ｓ１３）。ここでは、検出結果が所定の閾値以下であれば、図２に示した切り替えＳＷ５をａ端子に接続した第一の昇圧手段にし、充電を行う。
【００３６】
次に、図３は請求項４記載の実施例に係るブロック図である。
【００３７】
図３に示す本実施例は、温度検出回路をＡＤ変換器１０１ａと擬似負荷回路１０１ｂに変更した以外は、前記実施例と同一構成なので重複説明は省略する。なお、本発明では、ＡＤ変換器１０１ａと制御回路１０６が電池電圧検出手段に、擬似負荷回路１０１ｂが電池に定電流負荷を接続する擬似負荷回路に、制御回路１０６が演算手段に相当するものである。
【００３８】
また、図５、６のフローチャートに基づき動作を説明すると、電池の内部インピーダンスを演算する演算手段を用いた場合は、図３のＡＤ変換器を用いて、図３の定電流回路である擬似負荷を入力電源に接続する前の電池電圧値Ｖ１と、接続した後の電池電圧値Ｖ２を検出し、その検出結果から入力電源の内部インピーダンスＲを図３の演算手段を用いて演算する（Ｓ１４）。よって、内部インピーダンスＲは、擬似負荷回路１０１ｂの定電流値Ｉから、Ｒ＝（Ｖ１−Ｖ２）／Ｉで演算できる。その演算結果に基づいて図２に示した切り替えＳＷ５を切り替えて充電を行う（Ｓ１５）。ここでは、検出結果が所定の閾値以上であれば、図２に示した切り替えＳＷ５をａ端子に接続した第一の昇圧手段にし、充電を行う。
【００３９】
このように、本実施例によれば、電池温度が低い場合や、電池の内部インピーダンスが大きい場合は、ストロボ充電時の充電電流を小さく抑えるように切り替えＳＷを制御し、電池を可及的に利用する事ができる。また、カメラの撮影準備のレリーズスイッチＳＷ１が押された場合は、短時間にてストロボ充電ができるように切り替えＳＷを制御し、レリーズタイムラグを短くする事ができる。また、これら３つの切り替え制御はどのように組み合わせても問題ないことは言うまでもない。
【００４０】
次に本発明の請求項７記載の実施例について説明する。図４は本発明の請求項７記載の実施例に係るストロボ装置の回路ブロック図である。
【００４１】
前実施例の図２で示したように、昇圧トランス４の巻き数比を切り替える切り替えＳＷ５を一次側から二次側に変更した以外は、前記実施例と同一構成なので重複説明は省略する。
【００４２】
次に、動作上の相違点について図５、６のフローチャートから説明する。ＳＷ１を押した後の切替＆充電（Ｓ７）の処理では、図４に示した切り替えＳＷ回路５をｃ端子に接続した第三の昇圧手段にし、充電を行う。また、電池温度を検出した後の切替＆充電（Ｓ１３）の処理では、検出結果が所定の閾値以下であれば、図４に示した切り替えＳＷ５をｄ端子に接続した第四の昇圧手段にし、充電を行う。また、電池の内部インピーダンスを演算した後の切替＆充電（Ｓ１５）の処理では、演算結果が所定の閾値以下であれば、図４に示した切り替えＳＷ５をｄ端子に接続した第四の昇圧手段にし、充電を行う。
【００４３】
このように、請求項７記載の実施例の場合も同様に、電池温度が低い場合や、電池の内部インピーダンスが大きい場合は、ストロボ充電時の充電電流を小さく抑えるように切り替えＳＷを制御し、電池を可及的に利用する事ができる。また、カメラの撮影準備のレリーズスイッチＳＷ１が押された場合は、短時間にてストロボ充電ができるように切り替えＳＷを制御し、レリーズタイムラグを短くする事ができる。また、これら３つの切り替え制御はどのように組み合わせても問題ないことは言うまでもない。
【００４４】
今回の図３，４の実施例では、他励制御のフライバック方式で構成したが、自励制御であっても、また、それぞれの制御のフォワード方式であってもよい。また、スイッチング素子３はＦＥＴ以外のバイポーラトランジスタや、それらに替わるスイッチング素子であってもよい。
【図面の簡単な説明】
【００４５】
【図１】本発明の請求項１記載の実施例に係るブロック図
【図２】本発明の請求項１記載の実施例に係る撮像装置の回路ブロック図
【図３】本発明の請求項４記載の実施例に係るブロック図
【図４】本発明の請求項７記載の実施例に係るブロック図
【図５】本発明の実施例に係るストロボ装置の動作のフローチャート（１）
【図６】本発明の実施例に係るストロボ装置の動作のフローチャート（２）
【符号の説明】
【００４６】
１  入力電源
２  並列コンデンサ
３  スイッチ素子
４  昇圧トランス
５  切り替えＳＷ回路
６  ダイオード
７  コンデンサ
８  充電回路ブロック
９  発光回路ブロック
１０  制御回路
１１  電流検出回路
１００  電池
１０１  温度検出回路
１０２  昇圧回路
１０３  切替回路
１０４  充電部
１０５  発光部
１０６  制御回路
【図１】
2006154249.tif 000003
【図２】
2006154249.tif 000004
【図３】
2006154249.tif 000005
【図４】
2006154249.tif 000006
【図５】
2006154249.tif 000007
【図６】
2006154249.tif 000008